(57)【要約】      （修正有）【課題】ジョブスケジューリングに対するプリンターのメンテナンスの影響をユーザーに見えるようにする。【解決手段】ジョブ管理装置は、少なくとも一つのプリンターの印刷ジョブを管理し、コンピュータープログラムは、ジョブスケジューリング画面を表示させるための処理をジョブ管理装置に実行させるように構成される。当該処理は、少なくとも一つのプリンターによって実行されるジョブに関する第１の情報を取得するステップと、少なくとも一つのプリンターの色再現状態に関する第２の情報を取得するステップと、ジョブスケジューリング画面を生成するステップと、を含む。ジョブスケジューリング画面は、第１の軸がジョブの実行時間の長さまたはジョブに使用される用紙の枚数を示す二次元チャートであり、二次元チャートの第２の軸の一部は、少なくとも一つのプリンターの色再現状態を示す。【選択図】図７
2018085095.tif 000002
【特許請求の範囲】
【請求項１】
ジョブ管理装置のためのコンピュータープログラムであって、当該ジョブ管理装置は、少なくとも一つのプリンターの印刷ジョブを管理し、当該コンピュータープログラムは、ジョブスケジューリング画面を表示させるための処理を前記ジョブ管理装置に実行させるように構成され、当該処理は、
前記少なくとも一つのプリンターによって実行されるジョブに関する第１の情報を取得するステップ（ａ）と、
前記少なくとも一つのプリンターの色再現状態に関する第２の情報を取得するステップ（ｂ）と、
前記ジョブスケジューリング画面を生成するステップ（ｃ）と、
を含み、
前記ジョブスケジューリング画面は、第１の軸が前記ジョブの実行時間の長さまたは前記ジョブに使用される用紙の枚数を示す二次元チャートであり、当該二次元チャートの第２の軸の一部は、前記少なくとも一つのプリンターの前記色再現状態を示すコンピュータープログラム。
【請求項２】
前記処理は、前記第２の軸において、前記第１の軸に沿って伸びる線の形で、前記少なくとも一つのプリンターの前記色再現状態を示すステップ（ｄ）を含む請求項１に記載のコンピュータープログラム。
【請求項３】
前記処理は、前記色再現状態が基準線を超える領域に対して、基準超えの指標を与えるステップ（ｅ）を含む請求項２に記載のコンピュータープログラム。
【請求項４】
前記処理は、前記第２の軸における少なくとも二つのプリンター間の前記色再現状態の差を示すステップ（ｆ）を含む請求項１〜３のいずれか一項に記載のコンピュータープログラム。
【請求項５】
前記第２の軸における前記少なくとも二つのプリンター間の前記色再現状態の差は、前記少なくとも二つのプリンターの各々の間のカラーパッチの色差の平均値である請求項４に記載のコンピュータープログラム。
【請求項６】
前記処理は、前記少なくとも二つのプリンターのうち一つのプリンターに対応する領域を選択し、当該プリンターと前記少なくとも二つのプリンターの各々との間の前記色再現状態の差のみを示すステップ（ｇ）を含む請求項４または請求項５に記載のコンピュータープログラム。
【請求項７】
前記処理は、前記第２の軸において、前記第１の軸に沿って伸びる線の形で、前記少なくとも一つのプリンター内の各印刷媒体に対する前記色再現状態を示すステップ（ｈ）を含む請求項１〜６のいずれか一項に記載のコンピュータープログラム。
【請求項８】
前記処理は、前記第２の軸において、前記少なくとも一つのプリンターの各トレイを別々に示すステップ（ｉ）を含み、前記各トレイは、当該トレイに対応するジョブ履歴または予定ジョブを示すジョブバーを含む請求項１〜７のいずれか一項に記載のコンピュータープログラム。
【請求項９】
前記処理は、前記第２の軸において、前記少なくとも一つのプリンターに収容されている各印刷媒体を別々に示すステップ（ｊ）を含み、前記各印刷媒体は、当該印刷媒体に対応するジョブ履歴または予定ジョブを示すジョブバーを含む請求項１〜７のいずれか一項に記載のコンピュータープログラム。
【請求項１０】
前記処理は、前記第２の軸において、色検証バーおよび色補正バーを示すステップ（ｋ）を含み、前記色検証バーおよび前記色補正バーは、前記少なくとも一つのプリンターにおいて、色検証処理および色補正処理を実行するための時間をそれぞれ示す請求項１〜９のいずれか一項に記載のコンピュータープログラム。
【請求項１１】
前記処理は、
前記第１の軸に沿って色検証セルまたは色補正セルにカーソルを置き、前記印刷ジョブに関する時間または用紙カウントにおいて前記色検証処理または前記色補正処理を実行するように前記少なくとも一つのプリンターに指示することによって、前記色検証処理または前記色補正処理を前記印刷ジョブに追加するステップ（ｌ）、
前記色検証バーに前記カーソルを置き、予定された色検証を中止するように前記少なくとも一つのプリンターに指示することによって、予定された前記色検証を中止するステップ（ｍ）、または、
前記色補正バーに前記カーソルを置き、色補正に使用されるトレイのリストから一つのトレイを選択することによって、予定された前記色補正の印刷媒体を変更するステップ（ｎ）
を含む請求項１０に記載のコンピュータープログラム。
【請求項１２】
前記処理は、
色検証セルまたは色補正セルにカーソルを置き、前記印刷ジョブに関する時間または用紙カウントにおいて色検証処理または色補正処理を実行するように前記少なくとも一つのプリンターに指示することによって、前記印刷ジョブに関する前記色検証処理または前記色補正処理のタイミングを変更するステップ（ｏ）、または、
色検証バーに前記カーソルを置き、予定された色検証を中止するように前記少なくとも一つのプリンターに指示することによって、予定された前記色検証を中止するステップ（ｐ）
を含む請求項１〜９のいずれか一項に記載のコンピュータープログラム。
【請求項１３】
前記ジョブに関する前記第１の情報は、印刷媒体のサイズ、当該印刷媒体の属性、および／または、当該印刷媒体の重さを含む請求項１〜１２のいずれか一項に記載のコンピュータープログラム。
【請求項１４】
ジョブ管理装置上のジョブスケジューリング画面を生成する方法であって、当該ジョブ管理装置は、少なくとも一つのプリンターの印刷ジョブを管理し、
前記少なくとも一つのプリンターによって実行されるジョブに関する第１の情報を取得するステップ（ａ）と、
前記少なくとも一つのプリンターの色再現状態に関する第２の情報を取得するステップ（ｂ）と、
前記ジョブスケジューリング画面を生成するステップ（ｃ）と、
を含み、
前記ジョブスケジューリング画面は、第１の軸が前記ジョブの実行時間の長さまたは前記ジョブに使用される用紙の枚数を示す二次元チャートであり、当該二次元チャートの第２の軸の一部は、前記少なくとも一つのプリンターの前記色再現状態を示す方法。
【請求項１５】
前記第２の軸において、前記第１の軸に沿って伸びる線の形で、前記少なくとも一つのプリンターの前記色再現状態を示すステップ（ｄ）と、
前記色再現状態が基準線を超える領域に対して、基準超えの指標を与えるステップ（ｅ）と、
を含む請求項１４に記載の方法。
【請求項１６】
前記第２の軸における少なくとも二つのプリンター間の前記色再現状態の差を示すステップ（ｆ）と、ここで、前記第２の軸における前記少なくとも二つのプリンター間の前記色再現状態の差は、前記少なくとも二つのプリンターの各々の間のカラーパッチの色差の平均値であり、
前記少なくとも二つのプリンターのうち一つのプリンターに対応する領域を選択し、当該プリンターと前記少なくとも二つのプリンターの各々との間の前記色再現状態の差のみを示すステップ（ｇ）と、
を含む請求項１４または請求項１５に記載の方法。
【請求項１７】
前記第２の軸において、前記第１の軸に沿って伸びる線の形で、前記少なくとも一つのプリンター内の各印刷媒体に対する前記色再現状態を示すステップ（ｈ）、および／または、
前記第２の軸において、前記少なくとも一つのプリンターの各トレイを別々に示すステップ（ｉ）
を含み、
前記各トレイは、当該トレイに対応するジョブ履歴または予定ジョブを示すジョブバーを含む請求項１４〜１６のいずれか一項に記載の方法。
【請求項１８】
前記第２の軸において、前記少なくとも一つのプリンターに収容されている各印刷媒体であって、対応するジョブ履歴または予定ジョブを示すジョブバーを含む各印刷媒体を別々に示すステップ（ｊ）、
前記第２の軸において、前記少なくとも一つのプリンターにおいて、色検証処理および色補正処理を実行するための時間をそれぞれ示す色検証バーおよび色補正バーを示すステップ（ｋ）、
前記第１の軸に沿って色検証セルまたは色補正セルにカーソルを置き、前記印刷ジョブに関する時間または用紙カウントにおいて前記色検証処理または前記色補正処理を実行するように前記少なくとも一つのプリンターに指示することによって、前記色検証処理または前記色補正処理を前記印刷ジョブに追加するステップ（ｌ）、
前記色検証バーに前記カーソルを置き、予定された色検証を中止するように前記少なくとも一つのプリンターに指示することによって、予定された前記色検証を中止するステップ（ｍ）、
前記色補正バーに前記カーソルを置き、色補正に使用されるトレイのリストから一つのトレイを選択することによって、予定された前記色補正の印刷媒体を変更するステップ（ｎ）、
前記色検証セルまたは前記色補正セルに前記カーソルを置き、前記印刷ジョブに関する時間または用紙カウントにおいて前記色検証処理または前記色補正処理を実行するように前記少なくとも一つのプリンターに指示することによって、前記印刷ジョブに関する前記色検証処理または前記色補正処理のタイミングを変更するステップ（ｏ）、および／または、
前記色検証バーに前記カーソルを置き、予定された前記色検証を中止するように前記少なくとも一つのプリンターに指示することによって、予定された前記色検証を中止するステップ（ｐ）
を含む請求項１４〜１７のいずれか一項に記載の方法。
【請求項１９】
少なくとも一つのプリンターの印刷ジョブを管理するジョブ管理装置であって、
前記少なくとも一つのプリンターによって実行されるジョブに関する第１の情報を取得し、前記少なくとも一つのプリンターの色再現状態に関する第２の情報を取得するように構成される制御部と、
ジョブスケジューリング画面と、
を有し、
前記ジョブスケジューリング画面は、第１の軸が前記ジョブの実行時間の長さまたは前記ジョブに使用される用紙の枚数を示す二次元チャートであり、当該二次元チャートの第２の軸の一部は、前記少なくとも一つのプリンターの前記色再現状態を示すジョブ管理装置。
【請求項２０】
前記制御部は、
前記第２の軸において、前記第１の軸に沿って伸びる線の形で、前記少なくとも一つのプリンターの前記色再現状態を示し、
前記色再現状態が基準線を超える領域に対して、基準超えの指標を与えるように構成される請求項１９に記載のジョブ管理装置。
【請求項２１】
請求項１〜１３のいずれか一項に記載のコンピュータープログラムを格納したコンピューター読み取り可能な記録媒体。
【発明の詳細な説明】
【技術分野】
【０００１】
本開示は、ジョブスケジューリング画面上に色再現状態を表示するためのシステムおよび方法に関する。
【背景技術】
【０００２】
プリンター、コピー機、スキャナー、複合機等の画像形成装置では、ジョブと呼ばれる画像処理要求に応じて、画像形成処理が実行される。従来より、上記の画像形成装置として、複数のジョブを予約でき、複数の予約ジョブを順に実行する画像形成装置が広く用いられている。
【０００３】
上述した画像形成装置では、ジョブが実行されている間において、用紙の不足等の原因によって用紙が給紙され得ない場合、画像形成処理が停止する。この場合、用紙を補充したり、ジョブの設定条件の変更を実行したりすることによって、画像形成処理の停止の原因が取り除かれた後、画像形成処理の再開が指示されるまで、画像形成処理は停止状態のままである。このため、画像形成処理が停止したジョブが予約ジョブに含まれる場合、プリンターまたは画像形成装置の稼働率および再現性の問題、すなわち生産性の低下の問題が生じうる。
【０００４】
画像形成装置の稼働率が低下することを防止するため、画像形成処理が停止する前に、ジョブの停止が発生する画像形成処理を確認し、用紙の補充、ジョブの実行の予約順の変更、ジョブの保持、ジョブの削除、またはジョブの設定条件の変更等、必要な処理を実行または実施することが望ましい。
【０００５】
各ジョブの期限に応じるため、ジョブ管理プログラムは、最も効率的な印刷順序を確保することに役立つジョブスケジューリング機能を有する。しかし、たとえば、色補正のためのメンテナンスによってジョブ印刷が停止される場合、印刷店は期限に対応できない可能性がある。納品の遅延を回避するため、ユーザーは、メンテナンスが実行された後、ジョブ順序を再スケジュールまたは変更しうる。しかし、ジョブ順序が再スケジュールされても、ジョブの期限に応じられない場合がある。
【発明の概要】
【発明が解決しようとする課題】
【０００６】
上記の問題を鑑みて、色再現履歴および予定されたメンテナンスの予測を表示することによって、ジョブスケジューリングに対するプリンターのメンテナンスの影響をユーザーに見えるようにするシステムおよび方法を有することが望ましい。利点として、ジョブスケジューリング画面上に予定されたメンテナンスのための色再現状態を表示することによって、ユーザーは、プリンターのメンテナンスが発生する前に、印刷ジョブを変更または再スケジュールでき、生産性や、印刷ジョブをスケジュールする精度を向上させ、たとえば印刷店における複数のプリンターのうちの一つ以上のプリンターのダウンタイムを減少させることができる。
【課題を解決するための手段】
【０００７】
ジョブ管理装置のためのコンピュータープログラム、およびコンピュータープログラムを内部に格納したコンピューターが使用可能な非一時的媒体が開示され、当該ジョブ管理装置は、少なくとも一つのプリンターの印刷ジョブを管理し、当該コンピュータープログラムは、ジョブスケジューリング画面を表示させるための処理を前記ジョブ管理装置に実行させるように構成され、当該処理は、前記少なくとも一つのプリンターによって実行されるジョブに関する第１の情報を取得するステップ（ａ）と、前記少なくとも一つのプリンターの色再現状態に関する第２の情報を取得するステップ（ｂ）と、前記ジョブスケジューリング画面を生成するステップ（ｃ）と、を含み、前記ジョブスケジューリング画面は、第１の軸が前記ジョブの実行時間の長さまたは前記ジョブに使用される用紙の枚数を示す二次元チャートであり、当該二次元チャートの第２の軸の一部は、前記少なくとも一つのプリンターの前記色再現状態を示す。
【０００８】
ジョブ管理装置上のジョブスケジューリング画面を生成する方法が開示され、当該ジョブ管理装置は、少なくとも一つのプリンターの印刷ジョブを管理し、当該方法は、前記少なくとも一つのプリンターによって実行されるジョブに関する第１の情報を取得するステップ（ａ）と、前記少なくとも一つのプリンターの色再現状態に関する第２の情報を取得するステップ（ｂ）と、前記ジョブスケジューリング画面を生成するステップ（ｃ）と、を含み、前記ジョブスケジューリング画面は、第１の軸が前記ジョブの実行時間の長さまたは前記ジョブに使用される用紙の枚数を示す二次元チャートであり、当該二次元チャートの第２の軸の一部は、前記少なくとも一つのプリンターの前記色再現状態を示す。
【０００９】
少なくとも一つのプリンターの印刷ジョブを管理するジョブ管理装置が開示され、当該ジョブ管理装置は、前記少なくとも一つのプリンターによって実行されるジョブに関する第１の情報を取得し、前記少なくとも一つのプリンターの色再現状態に関する第２の情報を取得するように構成される制御部と、ジョブスケジューリング画面と、を有し、前記ジョブスケジューリング画面は、第１の軸が前記ジョブの実行時間の長さまたは前記ジョブに使用される用紙の枚数を示す二次元チャートであり、当該二次元チャートの第２の軸の一部は、前記少なくとも一つのプリンターの前記色再現状態を示す。
【００１０】
前述した概要および後述する詳細な説明はともに、例示的および説明的であり、特許請求の範囲に記載された発明のさらなる説明を提供することを目的とすることを理解すべきである。
【図面の簡単な説明】
【００１１】
添付した図面は、本発明のさらなる理解を提供するために含まれ、本明細書に組み込まれ、本明細書の一部を構成する。図面は、説明と共に本発明の実施形態を示し、本発明の原理を説明する役割を果たす。
【図１】例示的な一実施形態に係るジョブスクリーン画面上の色再現状態を表示するための例示的なシステムを示す図である。
【図２】例示的な一実施形態に係るクライアント装置を示す図である。
【図３】例示的な一実施形態に係るサーバーを示す図である。
【図４】例示的な一実施形態に係るプリンターまたは画像形成装置を示す図である。
【図５】例示的な一実施形態に係るプリンターを示す図である。
【図６】例示的な一実施形態に係るカラーパッチを有する印刷媒体を示す図である。
【図７】例示的な第１実施形態に係る、図１に示すようなシステムと併用するための例示的なクライアント装置、サーバーおよび／またはプリンターの表示部またはグラフィカルユーザーインターフェース上のジョブスケジューリングウインドウを示す図である。
【図８】例示的な第２実施形態に係る、図１に示すようなシステムと併用するための例示的な装置の表示部またはグラフィカルユーザーインターフェース上のジョブスケジューリングウインドウを示す図である。
【図９】例示的な第３実施形態に係る、図１に示すようなシステムと併用するための例示的な装置の表示部またはグラフィカルユーザーインターフェース上のジョブスケジューリングウインドウを示す図である。
【図１０】例示的な第４実施形態に係る、図１に示すようなシステムと併用するための例示的な装置の表示部またはグラフィカルユーザーインターフェース上のジョブスケジューリングウインドウを示す図である。
【図１１】例示的な第５実施形態に係る、図１に示すようなシステムと併用するための例示的な装置の表示部またはグラフィカルユーザーインターフェース上のジョブスケジューリングウインドウを示す図である。
【図１２Ａ】例示的な一実施形態に係る、図１に示すようなシステムと併用するための例示的な装置の表示部またはグラフィカルユーザーインターフェース上のジョブスケジューリングウインドウの一部を示す図である。
【図１２Ｂ】例示的な一実施形態に係る、図１に示すようなシステムと併用するための例示的な装置の表示部またはグラフィカルユーザーインターフェース上のジョブスケジューリングウインドウの一部を示す図である。
【図１３】例示的な一実施形態に係る、図１に示すようなシステムと併用するための例示的な装置の表示部またはグラフィカルユーザーインターフェース上のジョブスケジューリングウインドウの一部を示す図である。
【図１４】例示的な一実施形態に係る複数のパッチの目標色、測定値および色ずれを示す色補正チャートを示す図である。
【図１５】例示的な一実施形態に係る二つのプリンター間の色ずれを示す図である。
【発明を実施するための形態】
【００１２】
以下、本発明の好ましい実施形態を詳細に説明し、その例を添付した図面に示す。図面および説明では、可能な限り、同一または類似の要素を参照するために、同一の参照番号を使用する。
【００１３】
図１は、例示的な一実施形態に係るジョブスクリーン画面上の色再現状態を表示するための例示的なシステム１００を示す図である。図１に示すように、システム１００は、少なくとも一つのホストコンピューターまたはクライアント装置１１０、１１２、１１４と、少なくとも一つのサーバー１２０と、複数の画像形成装置またはプリンター１３０、１３２、１３４とを含みうる。これらは、たとえば、通信ネットワーク（またはネットワーク）１４０および／またはローカルエリアネットワーク（ＬＡＮ）１４２によって接続される。
【００１４】
例示的な一実施形態によれば、少なくとも一つのホストコンピューターまたはクライアント装置１１０は、たとえば、キンコーズ（Ｋｉｎｋｏ’ｓ、登録商標）の印刷店１５０の顧客によって使用されるコンピューターでありうる。顧客は、たとえば、ウェブブラウザーを使用して、ネットワーク１４０、１４２を介して、印刷店１５０に印刷ジョブまたは印刷注文を送信できる。注文のデータ（または情報）は、印刷設定および注文の期限を定義するジョブチケットを含んでもよい。サーバー１２０と、複数のプリンターまたは画像形成装置１３０とが、一つの印刷店１５０において設置されうる。たとえば、サーバー１２０は、印刷店１５０においてオペレーターによって使用されるコンピューターでありうる。サーバー１２０は、少なくとも一つのクライアント装置１１０、１１２、１１４から受信した注文に対応するジョブを、複数のプリンター１３０、１３２、１３４の少なくとも一つに割り当てでき、少なくとも一つのプリンター１３０は、割り当てられたジョブを実行する。
【００１５】
例示的な一実施形態によれば、通信ネットワークまたはネットワーク１４０、１４２は、公衆の電気通信回線および／またはネットワーク（たとえば、ＬＡＮまたはＷＡＮ）でありうる。通信ネットワーク１４０、１４２の例としては、本開示の実施形態に一致する任意の電気通信回線および／またはネットワークを含んでもよく、電気通信回線または電話回線、インターネット、イントラネット、図示するようなローカルエリアネットワーク（ＬＡＮ）、ワイドエリアネットワーク（ＷＡＮ）、ならびに／または高周波（ＲＦ）を使用する無線接続、赤外線（ＩＲ）送信、および／もしくは近距離無線通信（ＮＦＣ）が挙げられるが、これらに限定されない。
【００１６】
図２は、例示的な一実施形態に係るクライアント装置１１０、１１２、１１４を示す図である。図２に示すように、クライアント装置１１０は、プロセッサーまたは中央処理装置（ＣＰＵ）１０１と、ソフトウェアプログラムおよびデータ（印刷ファイル等）を記憶するための一つ以上のメモリー１０２と、ウェブブラウザー１０７とを含みうる。クライアント装置のウェブブラウザー１０７は、印刷ジョブのデータをサーバー１２０に送信するためのソフトウェアである。クライアント装置から印刷サーバーに送信されるデータは、画像データ（文書データ）および印刷設定データを含んでもよい。画像データおよび印刷設定データは、別々に送信されてもよいし、画像データおよび印刷設定データを含むＺＩＰまたはＭＩＭＥ形式の単一のファイルとして送信されてもよい。プロセッサーまたはＣＰＵ１０１は、コンピュータープログラムの命令を実行し、クライアント装置１１０の機能の少なくとも一部を動作させる、および／または制御する。また、クライアント装置１１０は、入力部１０３と、表示部またはグラフィカルユーザーインタフェース（ＧＵＩ）１０４と、通信ネットワーク（またはネットワーク）１４０に接続されたネットワークインタフェース（Ｉ／Ｆ）１０５とを含みうる。バス１０６は、少なくとも一つのクライアント装置１１０内の様々な構成要素１０１、１０２、１０３、１０４、１０５を接続しうる。
【００１７】
クライアント装置１１０、１１２、１１４はオペレーティングシステム（ＯＳ）を含む。このオペレーティングシステムは、コンピュータハードウェアを管理し、様々なソフトウェアプログラムの効率的な実行のための共通サービスを提供する。ソフトウェアプログラムは、たとえば、クライアント装置１１０、１１２、１１４からサーバー１２０に印刷ジョブのデータの送信を制御できるウェブブラウザー１０７を含みうる。例示的な一実施形態によれば、クライアント装置１１０、１１２、１１４は、コンピュータ、タブレット、携帯電話、またはウェブブラウザー１０７を実行できる他の装置でありうる。
【００１８】
図３は、例示的な一実施形態に係るサーバー１２０を示す図である。図３に示すように、サーバー１２０は、プロセッサーまたは中央処理装置（ＣＰＵ）２０１と、ジョブ管理プログラムを含むソフトウェアプログラムおよびデータを記憶するための一つ以上のメモリー２０２とを含みうる。プロセッサーまたはＣＰＵ２０１は、コンピュータープログラムの命令を実行し、サーバー１２０の機能の少なくとも一部を動作させる、および／または制御する。また、サーバー１２０は、入力部２０３と、表示部またはグラフィカルユーザーインタフェース（ＧＵＩ）２０４と、通信ネットワーク（またはネットワーク）１４０に接続されたネットワークインタフェース（Ｉ／Ｆ）２０５とを含みうる。バス２０６は、サーバー１２０内の様々な構成要素２０１、２０２、２０３、２０４、２０５を接続しうる。サーバー１２０は、コンピュータハードウェアを管理し、様々なソフトウェアプログラムの効率的な実行のための共通サービスを提供する、オペレーティングシステム（ＯＳ）を含む。
【００１９】
例示的な一実施形態によれば、サーバー１２０は、コンピュータであってもよく、印刷ジョブを管理するジョブ管理プログラムを実行する。サーバー１２０は、各ジョブが最適なプリンター１３０、１３２、１３４によって実行され、印刷店１５０が受信するすべてのジョブ（注文）が効率的に実行されるように、少なくとも一つのプリンター１３０、１３２、１３４にジョブを割り当てる。具体的には、サーバー（ジョブ管理プログラム）は、「どのプリンターによって」および「どのような順序で」印刷ジョブが実行されるべきかに関する、ジョブスケジュールを決定する。
【００２０】
図４は、例示的な一実施形態に係るプリンター１３０、１３２、１３４を示す図である。プリンター１３０、１３２、１３４は、通信ネットワーク（またはネットワーク）１４０、１４２に接続されたネットワークインタフェース（Ｉ／Ｆ）３０１と、プロセッサーまたは中央処理装置（ＣＰＵ）３０２と、ソフトウェアプログラムおよびデータ（印刷されるファイル等）を記憶するための一つ以上のメモリー３０３を含みうる。たとえば、このソフトウェアプログラムは、プリンターコントローラーを含みうる。プロセッサーまたはＣＰＵは、コンピュータープログラムの命令を実行し、プリンター１３０、１３２、１３４の機能の少なくとも一部を動作させる、および／または制御する。また、プリンター１３０、１３２、１３４は、入力部３０４と、表示部またはグラフィカルユーザーインタフェース（ＧＵＩ）３０５と、スキャナーエンジン（またはスキャナー）３０６と、プリンターエンジン３０７と、少なくとも一つの用紙トレイ３０８と、測色部３０９とを含みうる。用紙トレイ３０８は、より好ましくは複数の用紙トレイであり、たとえば、トレイ１、トレイ２、トレイ３、トレイ４、…トレイＮからなる。用紙トレイ３０８は、たとえば、用紙または紙状製品等の印刷媒体の束を保持するビンまたはトレイを含みうる。
【００２１】
例示的な一実施形態によれば、たとえば、測色部３０９は、ＲＧＢスキャナー、光検出器を有するスペクトルスキャナー、または技術分野において知られている他の検出デバイス等の、一つ以上のカラーセンサーまたは測色部を含み、印刷された用紙の経路、および任意の後処理装置または機器（図示せず）に備えられうる。バス３１０は、プリンター１３０内の様々な構成要素３０１、３０２、３０３、３０４、３０５、３０６、３０７、３０８、３０９を接続しうる。また、プリンター１３０、１３２、１３４は、コンピュータハードウェアを管理し、様々なソフトウェアプログラムの効率的な実行のための共通サービスを提供する、オペレーティングシステム（ＯＳ）を含む。
【００２２】
例示的な一実施形態によれば、プリンター１３０、１３２、１３４がコピー機であることは、本開示の範囲内でありうる。プリンターエンジンまたはプリントエンジン３０７は、たとえば、用紙トレイに収容されうる様々なサイズの印刷媒体を印刷ジョブに利用できる。「印刷ジョブ」または「文書」は、関連するシートのセットであってもよく、通常、特定のユーザーまたはその関係者から、元の印刷ジョブのシート、または電子文書のページ画像のセットからコピーされた、一つ以上の照合されたコピーセットであってもよい。
【００２３】
例示的な一実施形態によれば、プリンター１３０、１３２、１３４内の画像処理部は、プリントコントローラーまたはＣＰＵ３０２の制御の下、様々な画像処理を実行でき、処理された印刷画像データをプリントエンジン３０７に送信する。また、画像処理部は、原稿を光学的に読み取るためのスキャナー部（スキャナー３０６）を含みうる。スキャナー部は、スキャナー３０６から画像を受信し、当該画像をデジタル画像に変換する。プリントエンジン３０７は、画像処理部から送信された画像データに基づいて、印刷媒体（または記録紙）上に画像を形成する。中央処理装置（ＣＰＵ）（またはプロセッサー）３０２およびメモリー３０３は、印刷ジョブに含まれる印刷データを、プリンターまたはプリントエンジン３０７において使用されるラスタ画像データに変換するための処理である、ＲＩＰ処理（Ｒａｓｔｅｒ  Ｉｍａｇｅ  Ｐｒｏｃｅｓｓｉｎｇ、ラスタ画像処理）のためのプログラムを含みうる。ＣＰＵ３０２は、たとえば、ネットワーク接続部および／または入力／出力部（Ｉ／Ｏ部）３０４を介して、サーバー１２０から受信したデータおよびジョブ情報を処理するように構成されるプリンターコントローラを含みうる。
【００２４】
また、ＣＰＵ３０２は、プリンター１３０、１３２、１３４内のソフトウェアプログラムとハードウェア構成要素との間の仲介として動作する、オペレーティングシステム（ＯＳ）を含みうる。このオペレーティングシステム（ＯＳ）は、コンピュータハードウェアを管理し、様々なソフトウェアアプリケーションの効率的な実行のための共通サービスを提供する。例示的な一実施形態によれば、プリンターコントローラは、一つ以上のクライアント装置１１０から受信したデータおよびジョブ情報を処理して、印刷画像を生成できる。
【００２５】
ネットワークＩ／Ｆ３０１は、サーバー１２０とデータ転送を実行する。プリンターコントローラは、データを処理し、多機能周辺装置の様々な他の構成要素を制御して、本明細書に記載する様々な方法を実行するようにプログラムされうる。例示的な一実施形態によれば、プリンター部は、ネットワークＩ／Ｆ３０１を介してサーバー１２０から印刷ジョブのデータを受信した場合、動作を開始する。印刷ジョブのデータは、ＰｏｓｔＳｃｒｉｐｔ（登録商標）（ＰＳ）、Ｐｒｉｎｔｅｒ  Ｃｏｎｔｒｏｌ  Ｌａｎｇｕａｇｅ（ＰＣＬ）、Ｐｏｒｔａｂｌｅ  Ｄｏｃｕｍｅｎｔ  Ｆｏｒｍａｔ（ＰＤＦ）、および／または、ＸＭＬ  Ｐａｐｅｒ  Ｓｐｅｃｉｆｉｃａｔｉｏｎ（ＸＰＳ）等の任意の種類のページ記述言語（ＰＤＬ）を含んでもよい。本開示の例示的な実施形態と一致するプリンター１３０、１３２、１３４の例としては、コピー機能を含む、多機能周辺装置（ＭＦＰ）、レーザービームプリンター（ＬＢＰ）、ＬＥＤプリンターおよび多機能レーザービームプリンターが挙げられるが、これらに限定されない。
【００２６】
例示的な一実施形態によれば、図４に示すようなプリンター１３０、１３２、１３４の色補正は、たとえば、デジタルフロントエンド（ＤＦＥ）プリンターコントローラーでありうるＣＰＵ３０２のプリントコントローラー上で、カラーテストパターンを作成することによって実行されうる。この色補正は、たとえば、特定の数の印刷コピーがプリンター１３０、１３２、１３４によって印刷された後のような、一つ以上の印刷条件に基づいて設定されうる。補正の設定が可能になると、色測定ページ６００（図６）が印刷され、一つ以上の印刷カラーパッチ６１０が、測色部３０９を使用して、当該一つ以上のカラーパッチの各々に対応する目標色と比較されうる。目標色（または目標色データ（図１４））と比較された色補正パッチ６１０は、本明細書において開示するように、プリンター１３０、１３２、１３４のプリントエンジンの演色性を判断でき、および／または、プリンター１３０、１３２、１３４の間のカラープロファイルもしくは色ずれを生成できる。
【００２７】
図５は、例示的な一実施形態に係るプリンター（または画像形成装置）１３０、１３２、１３４を示す図である。プリンター１３０、１３２、１３４は、入力部３０４と、表示部またはグラフィカルユーザーインタフェース（ＧＵＩ）３０５と、スキャナーエンジン３０６と、プリンターエンジン３０７と、たとえばトレイ１、トレイ２、トレイ３、トレイ４、…トレイＮからなる複数の用紙トレイ３０８と、測色部３０９とを含む。図５に示すように、複数の用紙トレイ３０８の各々は、たとえば、印刷媒体（または用紙）１６０の束１６２等の、印刷媒体１６０を保持するように構成されうる。
【００２８】
例示的な一実施形態によれば、印刷媒体１６０は、好ましくは、一つ以上の印刷媒体属性を有する用紙または紙状媒体である。この印刷媒体属性には、たとえば、用紙の色、コーティング、繊維方向、印刷技術、明るさ、ＣＩＥ、色合い、白色度、ｌａｂ色（ｌａｂ  Ｃｏｌｏｒ）等が含まれうる。印刷品質を最良にするために、各種の印刷媒体の印刷媒体属性が、プリンター１３０、１３２、１３４において（たとえば、プリンター１３０、１３２、１３４のプリンター構成設定において）最高品質の出力を得るように、入力または提供されるべきである。ほとんどの印刷媒体１６０は、印刷媒体の製造、サイズ、種類および他の属性に関する情報等の表示を含んで包装された、連量または他の既知の量で提供される。印刷媒体１６０のサイズは、たとえば、レター、リーガル、Ａ４、Ａ３、タブロイド等を含みうる。さらに、ほとんどの用紙の束または連は、印刷媒体の製造を含む印刷媒体１６０の種類を特定する、ＵＰＣ（ユニバーサルプロダクトコード）またはバーコードを含む。
【００２９】
例示的な一実施形態によれば、複数のプリンター１３０、１３２、１３４のうちの少なくとも一つのプリンターは、コニカミノルタ（登録商標）によるｂｉｚｈｕｂ  ＰＲＥＳＳ  １１００のようなプロダクションプリンターでありうる。プリンター１３０、１３２、１３４は、プリンターが印刷出力６００（図６）の色品質（色特性）を測定できるように、用紙経路上にインラインセンサー（測色部３０９）を有する。たとえば、インラインセンサーは、図６に示された印刷媒体１６０上に印刷されたカラーパッチ６１０のＬ＊ａ＊ｂ＊値を測定してもよい。
【００３０】
例示的な一実施形態によれば、プリンター１３０、１３２、１３４は、検証処理によって自装置の色再現状態を検証でき、色再現状態が印刷ジョブを実行するのに十分でない場合、プリンター１３０、１３２、１３４は、補正処理を自動的に実行することによって、自身の色再現状態を改善できる。補正処理は、色検証処理から独立したオペレーターの指示に基づいて実行されてもよい。
【００３１】
例示的な一実施形態によれば、複数のプリンター１３０、１３２、１３４についてのジョブ印刷スケジュールを作成し、最も効率的な印刷順序にすることができるジョブ管理プログラムを開示する。たとえば、少なくとも一つのプリンター１３０、１３２、１３４は、印刷出力の色再現を測定するためのインラインセンサー（測色部３０９）を有してもよく、少なくとも一つのプリンター１３０、１３２、１３４は、色再現状態を検証しうる。検証結果が不良である場合、プリンター１３０、１３２、１３４は、色再現に関するパラメータを補正する必要がある。その補正のため、ジョブ印刷は停止させられ、ジョブ順序を再スケジュールしてジョブの期限に応じる必要がありうる。例示的な一実施形態によれば、ジョブスケジューリング画面上に色再現履歴および予測を示すことによって、ユーザーは、たとえば再補正のメンテナンスが発生する前に、再スケジュールのような必要な対応をすることができる。
【００３２】
図７は、例示的な第１実施形態に係る、図１に示すようなシステムと併用するための、たとえば、サーバー１２０および／またはプリンター１３０、１３２、１３４（例示的な装置）に設けられうる例示的なジョブ管理装置の表示部またはグラフィカルユーザーインターフェース１０４上のジョブスケジューリングウインドウを示す図である。例示的な一実施形態によれば、たとえば、ジョブスケジューリングウインドウは、通信ネットワーク１４０、１４２を介して、サーバー１２０および／または少なくとも一つのプリンター１３０、１３２、１３４に設けられうる。図７に示すように、サーバー１２０および／またはプリンター１３０、１３２、１３４は、ジョブスケジューリングＧＵＩ（グラフィカルユーザーインタフェース）１０４、２０４、３０５を有する。例示的な一実施形態によれば、ジョブ管理プログラムは、たとえば、サーバー１２０に設けられ、各プリンター１３０、１３２、１３４のジョブスケジュール、検証および補正の処理のスケジュール、ならびに色再現情報を示す、ジョブスケジューリングＧＵＩ１０４、２０４、３０５を提供する。オペレーターは、ジョブスケジューリングＧＵＩ１０４、２０４、３０５を確認することによって、適切なプリンター１３０、１３２、１３４にジョブを割り当てできる。
【００３３】
図７に示すように、ジョブスケジューリングＧＵＩ１０４、２０４、３０５の縦軸（すなわち第２の軸）は、複数のプリンターＴ１０１、トレイ行Ｔ１０２、色検証行Ｔ１０３、色補正行Ｔ１０４、および色再現行Ｔ１０５の識別を含みうる。横軸（すなわち第１の軸）は、時間または用紙カウントＴ１０に対応し、履歴領域Ｔ１０７、現在領域Ｔ１０８、予測領域Ｔ１０９、ジョブバー（またはセル）Ｔ１１、Ｔ１１１、ジョブ分割線Ｔ１１２、分割ジョブ指標（インジケーター）Ｔ１１３、色検証バーＴ１１４、色補正バーＴ１１５、色再現グラフＴ１１６、測定タイミング指標Ｔ１１７、基準線Ｔ１１８、基準超え指標Ｔ１１９、および目盛（スケール）調整部Ｔ１２０、Ｔ１２１を含みうる。
【００３４】
他の実施形態では、たとえば、複数の（または多数の）プリンターＴ１０１、トレイ行Ｔ１０２、色検証行Ｔ１０３、色補正行Ｔ１０４、および色再現行Ｔ１０５が、行ではなく、各々が列の形式になるように、横軸上に配置されうる。また、他の実施形態では、時間または用紙カウントＴ１０、履歴領域Ｔ１０７、現在領域Ｔ１０８、予測領域Ｔ１０９、ジョブバーＴ１１、Ｔ１１１、ジョブ分割線Ｔ１１２、分割ジョブ指標Ｔ１１３、色検証バーＴ１１４、色補正バーＴ１１５、色再現グラフＴ１１６、測定タイミング指標Ｔ１１７、基準線Ｔ１１８、基準超え指標Ｔ１１９、および目盛調整部Ｔ１２０、Ｔ１２１は、列ではなく、各々が行の形式になるように、縦軸上に配置されうる。例示的な一実施形態によれば、行または列の使用は、たとえば、複数のプリンターＴ１０１および対応するトレイ、色検証情報、および時間または用紙カウントが配置される方向または軸によって、置換されうる。
【００３５】
例示的な一実施形態によれば、複数のプリンター１３０、１３２、１３４の各々についての一つ以上のジョブ、補正および検証の実行履歴が、たとえば、サーバー１２０によって受信および処理されると、ジョブスケジューリングＧＵＩ（または表示部）１０４、２０４、３０５は、時間や、ジョブスケジューリングＧＵＩ１０４、２０４、３０５上に描かれるような対応するバーおよびグラフが、たとえば左に移動するように、動的に（たとえば、リアルタイムに）更新される。
【００３６】
縦軸に示すように、例示的な一実施形態によれば、ジョブ管理プログラムによって管理されている複数の（または多数の）プリンターＴ１０１は、縦軸に沿って割り当てられる。例示的な一実施形態によれば、印刷店１５０のオペレータまたは管理者（たとえば、システムの管理者）によって、プリンターＴ１０１は、プログラムに予め登録される。プリンターの各トレイは、縦軸に沿って別々に割り当てられる。各トレイ行Ｔ１０２は、たとえば、トレイ番号、用紙サイズ、用紙種類、用紙色（図示せず）およびトレイ内の用紙の坪量という、トレイに対応する情報を含みうる。さらに、各トレイ行Ｔ１０２は、特定のトレイＴ１０２を使用して実行された／実行予定のジョブ履歴または計画ジョブ（または予定ジョブ）を示すジョブバーＴ１１、Ｔ１１１を含みうる。例示的な一実施形態によれば、色検証行Ｔ１０３は、少なくとも一つのプリンター１３０、１３２、１３４によって実行された／実行予定の色検証の履歴または予定を示す色検証バーＴ１１４を含みうる。
【００３７】
例示的な一実施形態によれば、色補正行Ｔ１０４は、プリンター１３０、１３２、１３４によって実行された／実行予定の色補正の履歴または予定を示す色補正バーＴ１１５を含みうる。色再現行Ｔ１０５は、色再現状態の履歴または予測を示すグラフ（または線）を含みうる。
【００３８】
図７に示すように、横軸は、時間（たとえば、分）または用紙カウントＴ１０に対応する。例示的な一実施形態によれば、横軸は、たとえば、クリックスルーによるユーザー操作、または他の既知のコンピュータ処理またはステップによって、時間と用紙カウントとの間で置換されうる。また、横軸は、履歴領域（マイナスの時間または用紙カウント）Ｔ１０７、時間０（ゼロ）および／またはページカウント０（ゼロ）における現在領域（または線）Ｔ１０８、予測（予定）領域（時間またはページカウント）Ｔ１０９を含んでもよく、時間の増加および／または用紙カウントにおいてジョブ履歴を反映する。履歴領域Ｔ１０７は、たとえば、ジョブＴ１１、Ｔ１１１、色検証Ｔ１１４および色補正Ｔ１１５の実際の履歴を示す。例示的な一実施形態によれば、ジョブバーＴ１１０、Ｔ１１１は、プリンター１３０、１３２、１３４が各ジョブに費やす時間（または用紙カウント）を示す。予測領域Ｔ１０９では、用紙がなくなる可能性が、たとえば、黄色のＴ１１１のような異なる色で表現または表示されうる。
【００３９】
例示的な一実施形態によれば、オペレーターは、ジョブバーに対するドラックアンドドロップ操作によって、ジョブバーを同一または別のプリンターの別のトレイ行に移動させることができる。また、オペレーターは、ジョブバーに対するドラッグアンドドロップ操作によって、単一ジョブバーを別のプリンターの別のトレイ行に分割できる。ジョブ分割線Ｔ１１２は、各単一ジョブの境界を示す。ジョブ管理プログラムは、分割ジョブ（元のジョブ）が複数のプリンターによって並列に実行されうるように、元の単一ジョブを複数のジョブ（分割ジョブ）に分割できる。分割ジョブ指標Ｔ１１３は、同一の元のジョブから分割された複数の分割ジョブ間の関係を示す。
【００４０】
例示的な一実施形態によれば、色検証バーＴ１１４は、色検証処理に費やす時間を示す。色補正バーＴ１１５は、色補正処理に費やす時間を示す。色再現グラフＴ１１６は、横軸上の各点における色再現状態を示す。色再現状態は、全カラーパッチのＬ＊ａ＊ｂ＊測定値とＬ＊ａ＊ｂ＊目標値との間の色差（デルタＥまたはΔＥｎ）の平均値であってもよい（図１４）。
【００４１】
【数１】
2018085095.tif 000003
【００４２】
例示的な一実施形態によれば、色検証処理および色補正処理は、ある程度の間隔を置いて実行されるため、履歴領域Ｔ１０７、現在領域Ｔ１０８においても、検証処理および／または補正処理の間の色再現状態は、検証および／または補正処理において測定された実際の値に基づいて算出される必要がある。色再現状態Ｔ１０５は、たとえば、実際の値と、機械学習技術を用いて（長時間を費やして収集された）値の変化の履歴とに基づいて算出されてもよい。
【００４３】
例示的な一実施形態によれば、予測領域Ｔ１０９において、色再現状態Ｔ１０５は、実際の値、値の変更の履歴、ならびに印刷ジョブおよび補正の予定に基づいて算出されてもよい。例示的な一実施形態によれば、測定タイミング指標Ｔ１１７は、その時点における色再現状態Ｔ１０５が、検証処理および／または補正処理において測定された実際の値に基づいて算出されたことを示しうる。
【００４４】
例示的な一実施形態によれば、たとえば、オペレーターは予め、色再現状態上に（１または複数の）基準Ｔ１１８を設定できる。基準は、色再現グラフＴ１１６内の基準線として描写される。オペレーターは、色再現グラフＴ１１６および基準線Ｔ１１８に基づいて、検証処理および／または補正処理がいつ予定されるべきかを判断できる。基準超え指標Ｔ１１９は、色再現状態が基準Ｔ１１８より悪い領域を示す。例示的な一実施形態によれば、オペレーターは、指標Ｔ１１９に基づいて、検証処理および／または補正処理がいつ予定されるべきかを容易に判断できる。
【００４５】
例示的な一実施形態によれば、オペレーターは、目盛調整部Ｔ１２０、Ｔ１２１を使用して横軸の目盛を変更できる。たとえば、履歴領域Ｔ１０７および予測領域Ｔ１０９の目盛は、対応する調整部を使用して別々に調整されうる。また、ジョブバーＴ１１、Ｔ１１１、ジョブ分割線Ｔ１１２、分割ジョブ指標Ｔ１１３、色検証バーＴ１１４、色補正バーＴ１１５、色再現グラフＴ１１６、測定タイミング指標Ｔ１１７および基準超え指標Ｔ１１９は、目盛調整部Ｔ１２０、Ｔ１２１を使用して、時間と共に横軸に沿って右または左に移動させられうる。
【００４６】
図８は、例示的な第２実施形態に係る、図１に示すようなシステム１００と併用するための例示的な装置１１０、１１２、１１４、１２０、１３０、１３２、１３４の表示部またはグラフィカルユーザーインターフェース１０４、２０４、３０５上のジョブスケジューリングウインドウを示す図である。図８に示すように、例示的な第２実施形態のジョブスケジューリングＧＵＩ１０４は、横軸上の各点における二つのプリンター間の色再現状態の差を示すグラフを含む、追加の行Ｔ２０１を有する。グラフＴ２０２は、プリンターＡとプリンターＢとの間の差を示す。図１５に示すように、差は、全カラーパッチのプリンターＡのＬ＊ａ＊ｂ＊値とプリンターＢのＬ＊ａ＊ｂ＊値との間の色差（デルタＥ）の平均値であってもよい。プリンターの他の組み合わせに対応するグラフも、追加の行に描写されうる。
【００４７】
【数２】
2018085095.tif 000004
【００４８】
例示的な一実施形態によれば、オペレーターは、追加の行に基づいて、二つのプリンター間の色再現状態の差を比較的容易に認識する、または知ることができる。たとえば、元のジョブが複数の分割ジョブに分割され、分割ジョブが複数のプリンターに割り当てられる場合、これらのプリンターは、同様の色再現状態を有することが望ましい。このような場合、オペレーターは、追加の行を確認することによって、分割ジョブを割り当てる適切なプリンターを容易に選択できる。
【００４９】
他の実施形態によれば、オペレーターが、対象のプリンターに対応する領域を選択した場合（たとえば、マウスを使用することによってポイントした場合）、当該対象のプリンターに関連しないグラフは消え、言い換えれば、当該対象のプリンターに関連するグラフのみが残る。具体的には、オペレーターがプリンターＡに対応するジョブバーを選択した場合、「プリンターＡとＢとの間」および「プリンターＡとＣとの間」の線は残る。また、「プリンターＢとＣとの間」は、ジョブスケジューリング画面および／またはジョブスケジューリングウィンドウから消える。
【００５０】
図９は、例示的な第３実施形態に係る、図１に示すようなシステム１００と併用するための例示的な装置１２０、１３０、１３２、１３４の表示部またはグラフィカルユーザーインターフェース１０４、２０４、３０５上のジョブスケジューリングウインドウを示す図である。例示的な一実施形態によれば、色再現状態Ｔ３０の変化は、用紙種類（または印刷媒体１６０）によって異なりうる。たとえば、図示するように、本実施形態のジョブスケジューリングＧＵＩは、トレイに収容されている用紙または印刷媒体１６０の用紙種類に対して、複数の色再現状態の行Ｔ３０１、Ｔ３０２を有する。
【００５１】
図１０は、例示的な第４実施形態に係る、図１に示すようなシステム１００と併用するための例示的な装置１２０、１３０、１３２、１３４の表示部またはグラフィカルユーザーインターフェース１０４、２０４、３０５上のジョブスケジューリングウインドウを示す図である。先の実施形態では、各トレイは、縦軸に沿って別々の単一の行に割り当てられる。本実施形態では、各種類の印刷媒体（用紙サイズ、種類および坪量の組合せ）が、別々の単一の行Ｔ４０１に割り当てられる。たとえば、複数のトレイが、用紙種類が同じ用紙を有する場合、それらのトレイは、同じ単一の行に割り当てられうる。したがって、たとえば、ジョブスケジューリングウインドウは、トレイおよび／またはトレイ番号を含まなくてもよい。
【００５２】
図１１は、例示的な第５実施形態に係る、図１に示すようなシステム１００と併用するための例示的な装置１２０、１３０、１３２、１３４の表示部またはグラフィカルユーザーインターフェース１０４、２０４、３０５上のジョブスケジューリングウインドウを示す図である。図１１に示すように、本実施形態のジョブスケジューリングＧＵＩは、色検証行および色補正行を有しない。色検証バーＴ５０１および色補正バーＴ５０２、Ｔ５０は、検証処理または補正処理において使用される用紙が収容されている、対応するトレイに配置される。例示的な一実施形態によれば、オペレーターは、検証処理および／または補正処理のために使用されるトレイ（用紙）を比較的容易に知ることができる。
【００５３】
図１２Ａは、例示的な一実施形態に係る、検証処理または補正処理を追加するための例示的な装置１２０、１３０、１３２、１３４の表示部またはグラフィカルユーザーインターフェース１０４、２０４、３０５上のジョブスケジューリングウインドウの一部を示す図である。図１２Ａを参照すると、オペレーターが色補正行上のセルにカーソルを置いた状態で、ダブルクリックまたは右クリックした場合、ウィンドウＴ６０２が表示される。オペレーターがウィンドウＴ６０２において「Ｙｅｓ」を選択した場合、ウィンドウＴ６０３が表示される。オペレーターは、ウィンドウＴ６０３において、補正処理において使用されるトレイを選択できる。上述した操作によって、新しい色補正バー（またはセル）が色補正行に生成される（図１２Ｂ）。例示的な一実施形態によれば、検証バー（またはセル）は、補正の場合と同様の方法によって追加されうる。たとえば、ウィンドウＴ６０３は、用紙トレイの選択の代わりに、用紙種類の選択を提供できる。
【００５４】
例示的な一実施形態によれば、たとえば、図１３に示すように、確認または変更のために、検証処理または補正処理の設定は、確認または変更されうる。図１３に示すように、オペレーターが色検証バーにカーソルを置いた状態で、たとえば、ダブルクリックまたは右クリックの操作をした場合、ウィンドウＴ７０１が表示されうる。また、オペレーターは、検証処理において使用されるトレイを確認できる。オペレーターが「Ｙｅｓ」のＴ７０２を選択した場合、検証処理は中止され、対応する色検証バーは消える。オペレーターが「Ｎｏ」のＴ７０４を選択した場合、ウィンドウＴ７０３が表示される。例示的な一実施形態によれば、オペレーターは、ウィンドウＴ７０３において、補正処理において使用されるトレイを変更できる。また、ウィンドウＴ７０２およびＴ７０３は、用紙トレイの選択の代わりに、用紙種類の選択を提供できる。
【００５５】
検証処理または補正処理のタイミングも、変更されうる。例示的な一実施形態によれば、たとえば、ドラッグアンドドロップ操作によって、操作が色補正バーを別の位置に（前／後のジョブに）移動させた場合、補正処理のタイミングは（前／後に）変更されうる。また、検証バーは、たとえば、ドラッグアンドドロップ操作によって、補正の場合と同様の方法によって、操作されうる。
【００５６】
例示的な一実施形態によれば、ジョブ管理装置は、期日に警告を送信できる。たとえば、各ジョブは通常、期日を有する。新しい検証処理または補正処理を追加することによって、あるジョブが期日に遅れる場合、ＧＵＩ１０４は、新しい処理またはジョブをスケジュールに追加する前に、オペレーターに警告メッセージを表示できる。
【００５７】
例示的な一実施形態によれば、ジョブ管理装置のためのコンピュータープログラム、およびコンピュータープログラムを内部に格納したコンピューターが使用可能な非一時的媒体が開示され、ジョブ管理装置は、少なくとも一つのプリンターの印刷ジョブを管理し、コンピュータープログラムは、ジョブスケジューリング画面を表示させるための処理をジョブ管理装置に実行させるように構成され、当該処理は、少なくとも一つのプリンターによって実行されるジョブに関する第１の情報を取得するステップ（ａ）と、少なくとも一つのプリンターの色再現状態に関する第２の情報を取得するステップ（ｂ）と、ジョブスケジューリング画面を生成するステップ（ｃ）と、を含み、ジョブスケジューリング画面は、第１の軸がジョブの実行時間の長さまたはジョブに使用される用紙の枚数を示す二次元チャートであり、二次元チャートの第２の軸の一部は、少なくとも一つのプリンターの色再現状態を示す。
【００５８】
非一時的なコンピュータ読み取り可能な媒体は、磁気記録媒体、光磁気記録媒体、または将来開発される任意の他の記録媒体であってもよく、これらの全てが、同じ方法において本発明に適用可能であるとみなされうる。一次複製品および二次複製品を含むこのような媒体の複製品等は、疑いなく上記の媒体と同等とみなされる。さらに、本発明の実施形態がソフトウェアおよびハードウェアの組み合わせである場合でも、本発明の概念から全く逸脱するものではない。本発明は、そのソフトウェア部分が予め記録媒体に書き込まれ、動作時に必要に応じて読み出されるように実装されてもよい。
【００５９】
本発明の範囲または思想から逸脱することなく、本発明の構成に対する様々な変更および変形が可能であることは、当業者に明らかである。上記を考慮して、本発明は、添付の特許請求の範囲およびそれらの均等物の範囲内に含まれる本発明の変更および変形も含む。
【図１】
2018085095.tif 000005
【図２】
2018085095.tif 000006
【図３】
2018085095.tif 000007
【図４】
2018085095.tif 000008
【図５】
2018085095.tif 000009
【図６】
2018085095.tif 000010
【図７】
2018085095.tif 000011
【図８】
2018085095.tif 000012
【図９】
2018085095.tif 000013
【図１０】
2018085095.tif 000014
【図１１】
2018085095.tif 000015
【図１２Ａ】
2018085095.tif 000016
【図１２Ｂ】
2018085095.tif 000017
【図１３】
2018085095.tif 000018
【図１４】
2018085095.tif 000019
【図１５】
2018085095.tif 000020
【外国語明細書】
2018085095000001.pdf
2018085095000002.pdf
2018085095000003.pdf
2018085095000004.pdf